(57)【要約】      （修正有）【課題】ベッドの転落防止用の柵を利用して、ベッドに座ったまま品物を取り出しやすいポケットを提供する。【解決手段】布製であり、本体の表側と裏側に、目的に応じた深さと巾のポケットを作製する。【選択図】図１
0003169994.tif 000002
【実用新案登録請求の範囲】
【請求項１】
どの様なベッドの柵にも使える様布で作成する少々コシのある丈夫な布が良い。
コストは上るが抗菌処理の布ならベストである。
【請求項２】
できるだけこまごまと分けて収納できる様裏表に巾と深さを変えたポケットを配する
【請求項３】
どの様なベッドの柵にも対応できる様ヒモで吊す様にする
【請求項４】
ベッドサイドの柵の内側の浅い方のポケットの布をかえて２種類作る。
１枚は全部同じ布
もう１枚は見て解る様少し透けるレース布にする。
【考案の詳細な説明】
【０００１】病院等のベッドの柵に結びつけて使う収納用のポケットです。
裏表にポケットを全部で６ヶ所つけます。
表側には深いポケットを３ヶ所配し  巾をそれぞれ違えてペットボトル用・新聞雑誌用・孫の手  ハサミ等の雑貨用とします。
裏側（ベッド側）は少し浅いポケットにし筆記用具・メガネ・貴重品等を収納します。
１枚は裏表共同じコシのある丈夫な布とします。他方は表側と土台部分の布は同じくコシのある丈夫な布とし裏の浅いポケット部分だけ少し透けるレース地にした方がベッドに寝ている人から一目でポケットの中味が確認できる様にします。
医療機関で使う場合は両方共  抗菌素材したいと思います。
【考案の概要】
【考案が解決しようとする課題】長期の入院ではどうしても荷物がふえる。手術なのでベッドから降りられない場合もあり看護士さんや付き添いの手が必要になる。
【課題を解決するための手段】「ヘルスポケット」を使う事になりベッド周りの整理整頓ができる。
手術等で降りられない時はベッドの背もたれの角度をかえる事により自分で物を取れるので他の人の手を煩す事が少なくなる
【考案の効果】前述とも重複しますが▲１▼ベッド囲りがスッキリする事と▲２▼必要な物が手の届く範囲に置ける事と▲３▼布を使用する事によりビニール袋の様にガサガサ音がして同室の方の睡眠をさまたげる事がない。
【図面の簡単な説明】
【図１】Ａ作品の表
【図２】Ａ作品の裏
【図３】Ｂ作品の表
【図４】Ｂ作品の裏
【考案を実施するための形態】
私が趣味で作って入院される知人にプレゼントしたらとても喜ばれました。医療機関や自宅療養の方に使用してもらう事により「ヘルスポケット」が便利だと解ってくれると思います。
多くの方に「ヘルスポケット」を知ってもらいたいのですが個人の力ではムリなので医療用品を扱う会社に相談してみようと思います。
【産業上の利用可能性】私の住んでいる千葉県佐倉市近辺の総合病院４ヶ所の売店を調査し同類もしくは使用目的が同じ様な品を捜したのですがありませんでした。
入院の体験から長びけば小物が増えてベッドの周りが雑然としたり手術の後思う様にベッドから降りれず必要な物を取るのも一苦労でした。
この収納ポケットがあれば助かると思います。
又退院の時病院で使った品は処分して帰られます。それは縁起を担いで二度と病院に戻る事がない様にとの思いからです。
ですから又入院される方は再度この品を購入してもらえると思います。
コストの面からこのサイズが一番ムダなく布を裁断し使えるのでベストだと思います。
【符号の説明】特になし。図面にサイズ等の記入あり
【図１】
0003169994.tif 000003
【図３】
0003169994.tif 000004
【手続補正書】
【提出日】平成23年6月10日(2011.6.10)
【手続補正１】
【補正対象書類名】実用新案登録請求の範囲
【補正対象項目名】全文
【補正方法】変更
【補正の内容】
【実用新案登録請求の範囲】
【請求項１】
医療機関で使用するベッドの転落防止用の柵に結んで使用するため、どの様なサイズのベッドの柵にも使える様全部を布で作製する事を特徴とするヘルスポケット。
ヘルスポケット本体には表側（〔０００８〕の３〜５）と裏側（〔０００８〕の６〜８）があり目的に応じてポケットの深さと巾をかえて作製する事を特徴とする。
【手続補正２】
【補正対象書類名】図面
【補正対象項目名】全図
【補正方法】変更
【補正の内容】
【図１】
0003169994.tif 000005
【図２】
0003169994.tif 000006
【手続補正３】
【補正対象書類名】明細書
【補正対象項目名】全文
【補正方法】変更
【補正の内容】
【考案の詳細な説明】
【技術分野】
【０００１】本考案はベッドの転落防止用の柵を利用したヘルスポケットに関するものである。
【背景技術】
【０００２】入院の場合使用する物はベッドサイドの小さなロッカーかベッドの下に置いているためベッドから下りないと物を取れず人の手を煩す事になる。
【考案の概要】
【考案が解決しようとする課題】
【０００３】入院となれば共同生活になるためこまごまとした生活用品の置場に困る。
まして手術等でベッドから下りられなくなる事もあり付添がいない場合は看護士の手を煩わせる事になる。ヘルスポケットをベッドの転落防止用の柵に結んでおけばベッドの背もたれの角度をかえる事で自分で取れる。
ヘルスポケットの様に裏表に深さと巾をかえたポケットをつける事により品物が整理されるため取り出し易くなり内側のポケットをレース布の様な透ける素材にする事により一目で収納されている品物が確認できるなど利用し易く前述の点を解決しようとするものである。
【課題を解決するための手段】
【０００４】本考案は医療機関の転落防止用の柵に吊す様に結んで使用するためベッドに座ったまま品物が取り出し易くベッドの辺りも整理されるように表側には深いポケットを配し裏側（手前ベッド側）には浅くて透けるポケットを配します。
【考案の効果】
【０００５】前述の様に本考案のヘルスポケットはベッドの辺りが整理される事  必要な物をベッドの上からでも自分の手の届く範囲に置ける事  布を使用する事によりビニール袋の様にガサガサ音がして同室の方の睡眠をさまたげない事、医療機関によりベッドの柵の巾が違ってもヘルスポケットは本体を布で作製し、４ヶ所の紐で吊す事によりどの様なベッドの柵にも使用することができるなどの効果がある。
【図面の簡単な説明】
【０００６】
【図１】図１は本考案のヘルスポケットの実施例を示す表面（ベッドに対して外側）の正面図である。
【図２】図２は本考案のヘルスポケットの実施例を示す裏面（ベッドに対して内側）の正面図である。
【考案を実施するための形態】
【０００７】ヘルスポケットをベッドの転落防止用の柵に紐で吊して使用する。
ベッドに対して外側（図１）に深い方のポケットがくる様に吊しベッドに対して内側（図２）に浅くて透ける布でできているポケットがくる様に吊し使用する。
【実施例】
【０００８】以下添付図面に従って実施例を説明する。
１．ヘルスポケット本体（土台）であり布で２重に形成されている。
２．紐でベッドの転落防止用の柵に吊す様に結ぶ。
３．深いポケットで外側（ベッドの反対側）の１番巾の狭いポケットのため孫の手などを差して使用する。
４．深いポケットで外側（ベッドの反対側）の１番巾の広いポケットのため新聞雑誌うちわなどを入れて使用する。
５．深いポケットで外側（ベッドの反対側）にありペットボトル用として使用する。
６．浅いポケットで内側（ベッド側）にあり１番巾の狭いポケットのため筆記用具やハサミなどを差して使用する。
７．浅いポケットで内側（ベッド側）にあり１番巾の広いポケットのためメモ帳や手帳マスクメガネなどを入れて使用する。
８．浅いポケットで内側（ベッド側）にあり携帯電話用として使用する。
乗り降りしない方のベッドの柵に吊す様に結んで使用するためベッドの上から１番使い易い位置に結ぶ。
【符号の説明】
【０００９】１．ヘルスポケット本体（土台）
２．紐
３．深いポケット  巾が狭い
４．深いポケット  巾が広い
５．深いポケット
６．浅いポケット  巾が狭い
７．浅いポケット  巾が広い
８．浅いポケット
９．ミシンステッチ